(57)【要約】      （修正有）【課題】顎保護具に接近して配置されるヘルメットの内側のパッドを、効果的かつ簡単に一時的に連結できる、顎保護具の衝撃吸収層のための支持マスクを有する保護ヘルメットを提供する。【解決手段】顎保護具１０２およびバイザーのための開口部１０３を有するシェル１０１と、シェルおよび顎保護具に内側で連結される１つ以上の衝撃吸収層１０４、１０７、１０と、１つ以上の前記衝撃吸収層の内側に配置されている１つ以上のパッド１０５、１０６と、顎保護具の衝撃吸収層のための少なくとも１つの支持マスク１とを備え、少なくとも１つの前記支持マスクは、顎保護具の衝撃吸収層の保持手段と、顎保護具および／またはシェルに対する係合手段とを含み、さらに、少なくとも１つの支持マスクは、少なくとも１つのパッドの一時的連結手段を含んでいる。【選択図】図１Ａ
2012072540.tif 000002
【特許請求の範囲】
【請求項１】
顎保護具（１０２）およびバイザーのための開口部（１０３）を有するシェル（１０１）と、
前記シェル（１０１）および前記顎保護具（１０２）の内側に設けられた１つ以上の衝撃吸収層（１０４、１０７、１０）と、
１つ以上の前記衝撃吸収層（１０４、１０７、１０）の内側に配置された１つ以上のパッド（１０５、１０６）と、
前記顎保護具（１０２）の衝撃吸収層（１０）のための少なくとも１つの支持マスク（１）とを備え、
少なくとも１つの前記支持マスク（１）は、
前記顎保護具（１０２）の衝撃吸収層（１０）の保持手段（３、４、５、２ａ、２ｂ）と、
前記顎保護具（１０２）および／または前記シェル（１０１）に対する係合手段（９ａ、９ｂ）とを含み、
少なくとも１つの前記支持マスク（１）は、さらに、前記パッド（１０５、１０６）の中の少なくとも１つのパッド（１０６）のための一時的連結手段（６ａ、８ａ、６１ａ、６ｂ、８ｂ、６１ｂ、１０８ａ）を含むことを特徴とする保護ヘルメット（１００）。
【請求項２】
前記一時的連結手段（６ａ、８ａ、６１ａ、６ｂ、８ｂ、６１ｂ、１０８ａ）は、緩いタイプであることを特徴とする請求項１に記載の保護ヘルメット。
【請求項３】
前記一時的連結手段（６ａ、８ａ、６１ａ、６ｂ、８ｂ、６１ｂ、１０８ａ）は、少なくとも１つの前記支持マスク（１）に対して、１つ以上の前記パッド（１０５、１０６）を機械的に締結するものであることを特徴とする請求項１に記載の保護ヘルメット。
【請求項４】
前記一時的連結手段（６ａ、８ａ、６１ａ、６ｂ、８ｂ、６１ｂ、１０８ａ）は、相補的な部品の弾性連結タイプ、対になる係合タイプ、または、雌雄のベロクロ（登録商標）の細片を備えるタイプであることを特徴とする請求項３に記載の保護ヘルメット。
【請求項５】
前記一時的連結手段（６ａ、８ａ、６１ａ、６ｂ、８ｂ、６１ｂ）は、１つ以上の前記パッド（１０５、１０６）に統合される相補的係合手段（１０８ａ）と係合する１つ以上のストライカ（８ａ、８ｂ）を備えていることを特徴とする請求項１〜４のいずれ１項に記載の保護ヘルメット。
【請求項６】
少なくとも１つの前記支持マスク（１）に一時的に固定される１つ以上の前記パッド（１０６）は、ユーザの頬に当接する前記開口部（１０３）の側部に配置されているパッドであることを特徴とする請求項１〜５のいずれか１項に記載の保護ヘルメット。
【請求項７】
少なくとも１つの前記支持マスク（１）の前記顎保護具に対する係合手段（９ａ、９ｂ）は、一体に形成され、および／または、前記シェル（１０１）および／または前記顎保護具（１０２）の内側に統合される拘束タイプ、並置タイプ、または、相補部分（９１ａ、９１ｂ）の弾性連結を備えるタイプであることを特徴とする請求項１〜６のいずれか１項に記載の保護ヘルメット。
【請求項８】
前記顎保護具（１０２）の衝撃吸収層（１０）を保持するための保持手段（３、４、５、２ａ、２ｂ）は、
前記顎保護具（１０２）の衝撃吸収層（１０）のための１つ以上の形成された支持領域（３、４、５）と、
前記顎保護具（１０２）の衝撃吸収層（１０）の対応する部分による１つ以上の保持要素（２ａ、２ｂ）とを備えることを特徴とする請求項１〜７のいずれか１項に記載の保護ヘルメット。
【請求項９】
少なくとも１つの前記支持マスク（１）は、気流の通路のためのダクト（４）を含むことを特徴とする請求項１〜８のいずれか１項に記載の保護ヘルメット。
【請求項１０】
少なくとも１つの支持マスク（１）は、ヘルメット（１００）の付加的な外部付属品のための保持手段を含むことを特徴とする請求項１〜９のいずれか１項に記載の保護ヘルメット。
【請求項１１】
少なくとも１つの支持マスク（１）は、射出成形されるプラスチック材料（ＰＥ、ＰＰまたはＴＰＵ）から形成されていることを特徴とする請求項１〜１０のいずれか１項に記載の保護ヘルメット。
【請求項１２】
前記顎保護具（１０２）は、前記シェル（１０１）と一体に形成されていることを特徴とする請求項１〜１１のいずれか１項に記載の保護ヘルメット。
【発明の詳細な説明】
【技術分野】
【０００１】
本発明は、顎保護具とそれに対応するバイザーのための開口部とを有するシェルと、前記シェルおよび対応する前記顎保護具の内側に連結される１つ以上の衝撃吸収層と、前記衝撃吸収層の内側に配置されている１つ以上のパッドと、前記顎保護具の衝撃吸収層のための少なくとも１つの支持マスクとを備え、内側の前記支持マスクが、前記顎保護具の衝撃吸収層のための保持手段と、前記顎保護具に対する機械的係合手段とを有するタイプであって、特に、オートバイ等に乗る人のための保護ヘルメットに関する。
【背景技術】
【０００２】
通常、ポリスチレンフォーム（ＥＰＳ）から形成される保護ヘルメットの衝撃吸収層として、強制的な拘束（縮小）、接着により、または、機械的な支持クランプ手段もしくはベルクロ（登録商標）の細片を用いて、ヘルメットのシェルの内面に直接取り付けることが知られている。
【０００３】
先行技術では、衝撃に対してユーザの頭蓋領域を保護するのに適した、第１の半球状に形成される層と、横からの衝撃に対して、ユーザの顔の側部領域（頬）を保護するための２つの対向する層と、ユーザの顎を保護するための適宜の衝撃吸収層とからなり、シェルの内側に並置される種々の衝撃吸収層を有する保護ヘルメットがしばしば作製されている。これらの異なる衝撃吸収層は、通常、強制的な拘束（すなわち、強制的な幾何学的嵌め合い）により、ヘルメットの外側のシェルに取り外せないように拘束止着される。
【０００４】
また、これらの衝撃吸収層の内側には、過度の機械的作用によって損傷することを回避するため、通常、例えば、織物で被覆され、ユーザの顔に当接し、使用時に必要とされる快適性を確保するパッドが配置されている。
【０００５】
一般に顎保護具と言われる顎を保護する部分を備えるシェルの場合、ユーザの顎を保護するのに適した衝撃吸収層は、通常、他の衝撃吸収層のいずれかから分離されているだけでなく、ユーザの呼吸を妨げ、ヘルメットのグリップおよび把持の邪魔になる外側のパッドを有していない。
【０００６】
顎保護具に関して、前記衝撃吸収層、特に、ユーザの顎に面する部分を、例えば、合成皮革（すなわち、ポリウレタンＰＵまたはポリアミドＰＡを層状に形成した織物）、または、ポリウレタン（ＰＵ）フォームからなり、ユーザのさわり心地が良く、前記衝撃吸収層の偶発的な損傷の危険性を回避するか、または、減少させることのできる表面カバーで被覆することが知られている。
【０００７】
衝撃吸収層がＥＰＳで製造される一般的な場合において、顎保護具の衝撃吸収層のための表面カバーは、ポリウレタンフォームのような適切な被覆材料により、前記衝撃吸収層を重ね刷り（例えば、低圧射出成形）することにより形成される。表面カバーは、ヘルメットの他の部材との連結を許容する部品の最終形状を定め、また、適切な様式上の要求を担保するため、例えば、厚さが最小２ｍｍの層が設けられる。
【発明の概要】
【発明が解決しようとする課題】
【０００８】
しかしながら、この技術には、避けられない欠点がある。
【０００９】
第１に、表面カバー層は、顎保護具のＥＰＳからなる衝撃吸収層の製造工程に加えて、重ね刷り工程の本質的な技術上の制約から、最終的なユニットの重量が過大になってしまう。
【００１０】
第２に、重ね刷り、およびその後のばり除去工程に長時間を要するため、この技術は、生産性が相当に悪い。
【００１１】
最後に、通常、ＥＰＳからなる衝撃を吸収するのに適した重ね刷りの材料からなるこのような表面カバーを得るため、相当なコストが掛かるということを挙げることができる。
【００１２】
これらの欠点を克服するため、主として、引き上げる顎保護具を有するヘルメットでは、ユーザの顔と前記衝撃吸収層との間に挟まれる支持マスク、および顎保護具の衝撃吸収層の表面カバーが、前記顎保護具に機械的に拘束され、そのため、衝撃吸収層が前記支持マスクと顎保護具の内壁との間に配置されて係止させる技術が知られている。
【００１３】
この支持マスクは、ヘルメットの外部から内部への気流の案内通路となるダクトに対して、適切に形成され、かつ嵌め合わせることができるものであり、通常、射出成形されるプラスチック材料（ポリエチレン（ＰＥ）、ポリプロピレン（ＰＰ）、熱可塑性のポリウレタン（ＴＰＵ）等）から形成されるプレート状の部材である。支持マスクは、例えば、ビス、ボルトまたは弾性的連結手段により構成される顎保護具との係合手段と、例えば、一部分が、前記衝撃吸収層を機械的に拘束するように設計されたストライカ、弾性タブ、または、その他の構成要素から形成されている顎保護具の衝撃吸収層の保持手段との両方を含んでいる。
【００１４】
衝撃吸収層のためのこの支持マスクを用いることにより、通常、ＰＵフォームのような被覆材料の薄い層を有するＥＳＰでは、前記衝撃吸収層をもはや重ね刷りする必要はない。
【００１５】
しかしながら、上述したような支持マスクの障害物は、許容された取付方法で共に形成され、かつ拘束されなければならず、また、支持マスクの筐体を修正しなければならないため、ヘルメットのシェルの内装部品の設計を慎重に行う必要がある。
【００１６】
特に、顎保護具の近くに配置される衝撃吸収層にパッドを固定する手段の配置および構造、すなわち、支持マスクの配置および構造は、注意深く検討されなければならない。
【００１７】
加えて、最近製造されている保護ヘルメットにおいて、頭およびユーザの顔と衝撃吸収層（ＥＰＳ）との間に挟まれるパッドは、通常、前記パッドの掃除や交換のため、どのパッドも衝撃吸収層からユーザがいつでも容易に着脱することができる一時的な連結手段により、この最後の層に拘束されることを言及しておく。
【００１８】
より具体的には、パッドのこれらの一時的または可逆的な連結手段は、通常、パッドの対応する部分に形成される相補的なボタン、またはフックのためのストライカを有する衝撃吸収層に接着された固定プレートを備えている。
【００１９】
当業者にとって明らかなように、通常、ポリスチレンフォームからなる衝撃吸収層に接着される固定プレートと、一時的な連結手段として、パッドに装着される対応するスナップボタン（クリップ）または他の連結のタイプとの使用は、処理、パッケージ、または、衝撃吸収層または快適パッドのいずれか一方に対する種々の部品の組み付けが、依然として要求される。これらは、通常、非常に高価なことが分かっており、また、超過時間を確保した単純な組立作業による実用的な精度が要求される。
【００２０】
本発明の目的は、上述した先行技術の問題の少なくとも一部を解決した、上述のタイプの保護ヘルメットを提供することにある。
【００２１】
従って、本発明の目的は、顎保護具に接近して配置されるヘルメットの内側のパッドの少なくとも一部を、効果的かつ簡単に一時的に（可逆的に）連結することのできる、顎保護具の衝撃吸収層のための支持マスクを有する保護ヘルメットを提供することにある。
【００２２】
本発明の他の目的は、より少ない部品で足り、顎保護具の内側の仕上がりおよび形状の選択の幅が広く、経済的で短時間に製造することができる顎保護具を備える保護ヘルメットを提供することにある。
【課題を解決するための手段】
【００２３】
これらおよびそれ以外の目的は、請求項１およびその従属請求項に係る保護ヘルメットによって達成される。
【００２４】
すなわち、本発明に係る保護ヘルメットは、顎保護具およびバイザーのための開口部を有するシェルと、前記シェルおよび前記顎保護具の内側に連結される１つ以上の衝撃吸収層と、前記衝撃吸収層の内側の１つ以上のパッドと、前記顎保護具の前記衝撃吸収層のための少なくとも１つの支持マスクとを備えている。また、この支持マスクは、前記顎保護具の前記衝撃吸収層の保持手段と、前記顎保護具に対する係合手段とを備えている。
【００２５】
また、支持マスクは、少なくとも１つのパッドの一時的連結手段を備えていると有利である。
【００２６】
前記顎保護具の前記衝撃吸収層の支持マスクにおいて、前記パッドの一時的連結手段の統合、特に、ユーザの頬に当接するこれらの組は、前記顎保護具に近接して配置される前記パッドのヘルメットに対する拘束の設計を簡単なものとし、使用に際して非常に有効かつ安定した前記一時的連結手段を提供する。なぜなら、これらの連結手段を前記シェルに接着する操作を必要としないからである。また、部品点数および製造時の組み立て工数は減少する。
【００２７】
本発明の好適な局面として、前記パッドの一時的連結手段を、相補部品を弾性連結するタイプ、または、前記支持マスクの一部の部品同士を幾何学的に嵌め合わせるタイプとすることができる。
【００２８】
例えば、前記一時的連結手段を、それぞれが１つのパッドと前記支持マスクとに統合される、少なくとも１つのフックおよび対応するストライカとで構成することができる。
【００２９】
前記顎保護具の衝撃吸収層の前記支持マスクに対する少なくとも１つのパッドの一時的連結手段は、これらの間の緩い連結結合（すなわち、ユーザにより容易に解除できる拘束）の場合、または、従来の固定方法（例えば、パッドおよび対応する衝撃吸収層に対するベルクロ（登録商標）の細片による固定方法）による結合の場合であっても、これらの部材間の安定した機械的固定（すなわち、ユーザにより容易に解除できない拘束）を行う必要はなく、対象となる前記パッドを一層容易かつ安価に組み付けることができ、また、このような固定に必要とされる部品点数を、有効に削減できることとなることに留意すべきである。
【００３０】
さらに、本発明の他の観点によれば、前記支持マスクは、気流の通路のためのダクト、および／または、例えば、上部の気流のための下部ウインドスクリーンまたはディフューザのような、ヘルメットの付加的な外部付属品のための保持手段を備えていてもよい。
【図面の簡単な説明】
【００３１】
添付図面を参照して、本発明の限定されない好適な一実施形態について説明する。
【００３２】
【図１Ａ】顎保護具の衝撃吸収層のための支持マスクを備える本発明の特有の構成の保護ヘルメットの概略側部断面図である。
【図１Ｂ】頭の頭蓋領域の側面の快適パッドを取り外した図１Ａのヘルメットの部分断面図である。
【図２】前記衝撃吸収層を有する本発明の特有の構成の図１のヘルメットの顎保護具の衝撃吸収層のための支持マスクの正面図である。
【図３】顎保護具の衝撃吸収層がない図１の支持マスクの正面図である。
【図４】顎保護具に組み付けられた図１および図２の支持マスクの背面図である。
【図５】支持マスクの詳細な拡大背面図である。
【図６】衝撃吸収層を有する本発明の特有の構成の図１におけるヘルメットの顎保護具の衝撃吸収層のための支持マスクの領域の横断面図である。
【図７】中心線と平行な平面における図１のヘルメットの顎保護具の衝撃吸収層のための顎保護具を支持する領域の断面図であり、外部取入口を通過して顎保護具の内部ダクトを通り、バイザーの内側の面に風を通した後、ヘルメットの中を流れる気流を示す。
【図８】本発明の特有の構成の顎保護具の衝撃吸収層の支持マスクに対して、ユーザの頬（頬パッド）の裏地となるようにした側部パッドの一時的な連結手段を示す上述した各図の保護ヘルメットの縦断側面図であり、前記側部パッドが関連する支持マスクに連結されていない状態を示す。
【図９】図８におけるユーザの頬のパッドの側面図であり、上述した支持マスクに対する一時的連結手段を示す。
【発明を実施するための形態】
【００３３】
図１を参照すると、本発明に係るヘルメット１００は、バイザーのための開口部１０３を規定するように形成され、例えば、ポリカーボネート（ＰＣ）から射出成形された公知の外側のシェル１０１と、開口部１０３の下に配置され、シェル１０１の他の部分に対して、一体または取り外し可能に、もしくは、取り外せない状態で固定されている、一般に顎保護具１０２と称される顎の保護部分とを備えている。
【００３４】
ヘルメット１００は、シェル１０１および顎保護具１０２の内側に固定され、ポリスチレンフォーム（ＥＰＳ）のように、可能性のある衝撃を吸収するのに適した材料からなる１つ以上の層１０、１０４、１０７を備えている。層１０、１０４、１０７は、例えば、接着する部品または溝と、シェル１０１の内側に結合され、ユーザの頭と１つ以上の衝撃吸収層１０４、１０７との間に挟まれて配置されている１つ以上のパッド１０５、１０６との間に、強制的に拘束縮小されて固定される。具体的には、ヘルメット１００は、製造上の理由から、ユーザの頭蓋骨を保護することを目的とするシェル１０１の部分の下に配置されている少なくとも１つの第１の均質な衝撃吸収層１０４と、ユーザの頬の領域に面する少なくとも２つの側部の衝撃吸収層１０７と、第１の衝撃吸収層１０４および２つの側部の衝撃吸収層１０７から離間し、顎保護具１０２の部分に対応して配置されている少なくとも１つの付加的な衝撃吸収層１０とを備えている。
【００３５】
顎保護具１０２の内面に接着可能な顎保護具１０２の衝撃吸収層１０は、衝撃吸収層１０を保持し、同じ顎保護具１０２またはシェル１０１の他の部分に容易に拘束されるように形成された適切な支持マスク１により、本発明に係る顎保護具１０２の内側に支持される。
【００３６】
より詳細には、本発明の特有の観点によれば、衝撃吸収層１０の支持マスク１は、特に図２〜図４を参照して、関連する衝撃吸収層１０を収容して支持する領域を提供するように形成された前面５と、衝撃吸収層１０のガイドとして機能する上部フレーム４および下部領域３と、相対的な弾性変形に従って部品を重畳させることにより、衝撃吸収層１０を機械的に保持しうるタブ２ａ、２ｂとを備えている。
【００３７】
前面５の特定の形状に加えて、タブ２ａ、２ｂ、上部フレーム４および下部領域３は、顎保護具１０２の衝撃吸収層１０の適切な保持手段を構成している。
【００３８】
図７に示すように、支持マスク１の上部フレーム４は、適切な空気取入口を介して、ヘルメット１００の外部からヘルメット１００の内部に向かい、気流を直接取り入れる通路のためのダクトを一体的に有していてもよい。
【００３９】
同時に、支持マスク１の下部領域３は、一体に形成されるか、または、シェル１０１の下縁部１０９と連結され、オートバイまたは完全に囲まれた枠を持たない移動手段で使用される際に、ウインドスクリーンのタブ、空力的流れのデフレクタ、ヘルメット１００の通常使用時において発生する渦による騒音を減少させるための付属品のような、ヘルメット１００の下部領域に任意に取り付けられる付属品を受入れることができる座部を有していてもよい。図４および図５に示すように、支持マスク１は、顎保護具１０２の内側に配置される適切な相補領域９１ａ、９１ｂに支持マスク１を係合するか、または、拘束する手段を構成する横の突出部９ａ、９ｂを備えている。相補領域９１ａ、９１ｂは、突出部９ａ、９ｂを幾何学的な嵌め合い連結により保持するように構成されている。顎保護具１０２の内面に対する支持マスク１の突出部９ａ、９ｂおよび相補領域９１ａ、９１ｂ（係合手段）は、公知の拘束タイプ、並置／束縛タイプ、相補部品を弾性連結するタイプ、ねじ部分で螺合するタイプから選択することができる。
【００４０】
なお、ここでは示されていない他の実施形態として、これらの係合手段を、支持マスク１を顎保護具１０２またはシェル１０１の他の部分に直接接着結合する１つ以上の層、または、衝撃吸収層１０を挟み込むことによって構成することもできる。
【００４１】
また、既に説明したように、支持マスク１に対して、さらなる外部付属品、例えば、突出部９ａ、９ｂを顎保護具１０２に係合する仕様に類似して、適切な機械的保持手段により支持マスク１に保持され、ヘルメット１００の内側に向かう気流を拡散させる１つ以上のディフューザを取り付けてもよい。
【００４２】
より詳細には、図７に示すように、シェル１０１の顎保護具１０２の部分における下縁部１０９の充填材と、支持マスク１の下部領域３との間の空洞部は、例えば、空力的付加物、ウインドスクリーンフラップ、または、ヘルメット１００の下部領域３に囲まれるいかなる他の付属品を容易に固定できる成形加工されたタブを挿入する座部として機能させるようにしてもよい。
【００４３】
さらに、図４、図５、図８、図９に具体的に示すように、支持マスク１は、内壁７に対応して、すなわち、ユーザの顎に面する壁に対応して、上述したパッド１０５、１０６の少なくとも１つを一時的または可逆的に固定することを目的とする手段６ａ、８ａ、６１ａ、６ｂ、８ｂ、６１ｂを備えている。
【００４４】
ここで説明する実施形態における一時的に連結するこの手段は、中央部にヘルメット１００の内側に向かって突出するフランジ６ａ、６ｂのある挿入スロット６１ａ、６１ｂと、少なくとも１つの対応するパッド１０６に形成される相補的なフックまたはフォーク１０８ａ（図８および図９）に係合するピンまたはストライカ８ａ、８ｂとから構成されている。
【００４５】
図８および図９において、支持マスク１の対応する端部への側部のパッド１０６（頬パッド）の連結と、その側部のパッド１０６とをそれぞれ詳細に示すように、フォーク１０８ａは、パッド１０６の前部に固定されるプラスチックのタブからなり、係合のために挿入スロット６１ａの中に挿入され、対応するピン８ａとの安定した機械的締結または緩い連結を達成する。
【００４６】
各フォーク１０８ａと、対応するピン８ａ（８ｂ）との係合は、パッド１０６と支持マスク１との直接的な機械的固定を容易にするため、例えば、弾性的なタイプとすることができ、また、例えば、フォーク１０８ａを所定方向に引き抜くことができるフックのような緩いタイプとすることができる。
【００４７】
後者の場合、既に説明したように、パッド１０６をヘルメット１００のシェル１０１に固定するため、クリップまたはベロクロ（登録商標）の細片のように、公知のパッド１０６の締結手段を、対応する衝撃吸収層１０７に配置する必要がある。
【００４８】
なお、パッド１０６と支持マスク１との連結は、たとえ緩くても、パッド１０６自体を保護するのに必要な部品点数を有効に減らし、かつパッド１０６を容易に組み付けることができるものであることに留意すべきである。
【００４９】
本発明の実施形態では示していないが、他の実施形態として、少なくとも１つのパッド１０６のための一時的または可逆的な連結手段は、スナップボタン、クリップ等のような相補的な部品の弾性連結タイプ、または、ボタンとボタン孔のような対になる係合タイプ、または、支持マスク１とパッド１０６の対応する部分にそれぞれ配置されている雌雄のベロクロ（登録商標）の細片を備えるタイプとすることができる。
【００５０】
また、これらの連結手段は、ガイドおよびガイド内の係合スライド、または、緩い連結の他の公知のタイプ、すなわち、ここでは論じていないが、少なくともある程度の自由度を有するタイプをもって構成することができる。
【００５１】
本発明の特有の観点によれば、ヘルメット１００は、少なくとも１つのパッド１０６または１対のパッド１０６が、顎保護具１０２、より具体的には、衝撃吸収層１０のための対応する支持マスク１が当接するまでヘルメット１００を装着したときに、実質的にユーザの頬に当接して、バイザーのための開口部１０３の側部の少なくとも一部を覆うように、互いに接する複数のパッド１０５、１０６を備えていてもよい。
【００５２】
この場合、顎保護具１０２の衝撃吸収層１０を支持する支持マスク１の一時的な連結手段６ａ、８ａ、６１ａ、６ｂ、８ｂ、６１ｂは、ユーザの頬に当接するのに適した側部のパッド１０６を保持するように設計される。
【００５３】
最後に、公知の技術により、支持マスク１を、射出成形により、ポリエチレン（ＰＥ）、ポリプロピレン（ＰＰ）、または、ポリウレタン（ＴＰＵ）から形成することができる。
【００５４】
ここで説明する本発明の特有の実施形態によれば、ユーザの頭蓋領域の内側の衝撃吸収層１０４を、外側のシェル１０１の中に挿入した後、先ず、衝撃吸収層１０が、保持手段（下部領域３、上部フレーム４）により支持マスク１の上に支持され、特に、タブ２ａ、２ｂにより、衝撃吸収層１０の対応する部分が保持され、顎保護具１０２の衝撃吸収層１０のための支持マスク１の組立体が得られる。この結果、衝撃吸収層１０を有する支持マスク１は、上述した顎保護具１０２の内側の相補領域９１ａ、９１ｂと連結する突出部９ａ、９ｂにより、顎保護具１０２に係合される。
【００５５】
最後に、シェル１０１の内側の形状と同様に、シェル１０１の内側に対する後部支持面と、支持マスク１に対する前面との間で、力の適合連結（強制的な拘束）が達成されることにより、ユーザの頬を保護する衝撃吸収層１０７は、支持マスク１と衝撃吸収層１０４との間に挿入され、その結果、ヘルメット１００の内側に衝撃吸収層１０７が最終的に固定され、ヘルメット１００の組立体が得られる。
【００５６】
この時点で、シェル１０１の頭蓋領域のパッド１０５を、対応する衝撃吸収層１０４、１０７に拘束させることができる。引き続き、側部のパッド１０６を、一時的な連結手段６ａ、８ａ、６１ａ、６ｂ、８ｂ、６１ｂ、１０８ａにより、同じ支持マスク１に位置決めして係合させることができる。このようにして、ヘルメット１００の内部部分は完全に組み立てられる。
【００５７】
以上のことから明らかなように、緩い一時的な連結手段の場合、すなわち、側部のパッド１０６のシェル１０１に対する完全な機械的締結が規定されない場合、このような方法は、いかなる場合においても、パッド１０６の取り付けを容易とし、衝撃吸収層１０７とパッド１０６の内壁との間の弾性クリップまたはベロクロ（登録商標）の細片のような固定要素の数は減少させられる。
【００５８】
なお、パッド１０６を支持マスク１に直接係合させることにより、パッド１０６は支持マスク１に機械的に固定される。この場合、弾性連結により、シェル１０１の内壁にパッド１０６を直接係合する手段は不要となり、これにより、ヘルメット１００を安価に製造することができ、また、構成および組み立てが簡単になる。
【符号の説明】
【００５９】
１  支持マスク
２ａ、２ｂ  タブ
３  下部領域
４  上部フレーム
５  前面
６ａ、８ａ、６１ａ、６ｂ、８ｂ、６１ｂ  手段
８ａ、８ｂ  ピン（ストライカ）
７  内壁
９ａ、９ｂ  突出部
６１ａ、６１ｂ  挿入スロット
１０、１０４、１０７  衝撃吸収層
９１ａ、９１ｂ  相補領域
１００  ヘルメット
１０１  シェル
１０２  顎保護具
１０３  開口部
１０５、１０６  パッド
１０８ａ  フック（フォーク）
１０９  下縁部
【図１Ａ】
2012072540.tif 000003
【図１Ｂ】
2012072540.tif 000004
【図２】
2012072540.tif 000005
【図３】
2012072540.tif 000006
【図４】
2012072540.tif 000007
【図５】
2012072540.tif 000008
【図６】
2012072540.tif 000009
【図７】
2012072540.tif 000010
【図８】
2012072540.tif 000011
【図９】
2012072540.tif 000012
【外国語明細書】
2012072540000001.pdf